(57)【要約】  【課題】着心地のよいあるいは体形を補正可能で、必要に応じて通気性や吸湿性を図ることができる筒状編地及びその編成方法を簡単で安価に提供できるようにすることを目的とするものである。【解決手段】  編針を進退摺動可能に収納したニードルベッドを少なくとも前後一対に設けた横編機の前後のニードルベッドにわたって周回状に給糸することにより、筒状の編地を形成する筒状編地の編成方法において、周回編成の同一コースに引き返し編を編針の二目飛ばしに給糸することにより前後のニードルベッドで編成される編地に厚みを異ならせ、若しくは縦横の伸び比率を異ならせるようにした。【選択図】図１
2005325469.tif 000002
【特許請求の範囲】
【請求項１】
編針を進退摺動可能に収納したニードルベッドを少なくとも前後一対に設けた横編機の前後のニードルベッドにわたって周回状に給糸することにより、筒状の編地を形成する筒状編地の編成方法において、周回編成の同一コースに引き返し編を行なう時、編針の二目飛ばしに給糸することにより前後のニードルベッドで編成される編地に厚みを異ならせ、若しくは縦横の伸び比率を異ならせるようにしたことを特徴とする筒状編地の編成方法。
【請求項２】
また、本発明の筒状編地では、編針を進退摺動可能に収納したニードルベッドを少なくとも前後一対に設けた横編機の前後のニードルベッドにわたって周回状に給糸して筒状に編成された筒状編地であって、周回編成の同一コースに引き返し編により二目飛ばしに給糸されて編成されることによりすることにより前後のニードルベッドで編成される編地に厚みをことならせ、若しくは縦横の伸び比率を異ならせたことを特徴とする筒状編地。
【請求項３】
筒状編地がニットパンツである請求項２に記載の筒状編地。
【請求項４】
ニットパンツの筒状脚部の接合部分を総編針で編み出しによる強固な股部を有するようにした請求項３に記載の筒状編地。
【発明の詳細な説明】
【技術分野】
【０００１】
本発明は例えば胴部と股下部を備え、前身ごろとを筒状に周回編成したニットパンツや、靴下等の筒状編地及びその編成方法に関にするものである。
【背景技術】
【０００２】
一般に、ニットパンツ等は、シート状に編成されたニット生地を各パーツの形状に裁断し、このパーツをミシン等で縫製する所謂カットアンドソウで形成されたものが知られている。
こうしたカットアンドソウでは縫製部分の縫い目が硬く、穿き心地を損ねる原因となっていた。
【０００３】
そこで、こうした問題に対処するために、横編機に配設された前後のニードルベッドの編針にわたって編糸を周回状に給糸して編成し、この編成時に針のピッチを変更することにより編地を筒状に形成するようにしたものが知られている（特許文献１参照）。
【特許文献１】特開２００２−３２７３０３号公報
【発明の開示】
【発明が解決しようとする課題】
【０００４】
ところが、上記周回編成により筒状に編成するようにしたものでは全周が、針ピッチだけが異なる略均一な平編となっており、縦伸びと横伸び（弾性）が等しく、例えば体の起伏に合わせて伸びの調節を行なうのが難しいという問題や、編地の厚みも均一であり通気性や吸湿性のために厚みを変化させることができないという問題があった。
【０００５】
また、同一編地で厚みや伸び率を変化させる場合、編成途中に別の編糸を挿入あるいは別の編糸に切り換えて編成することがかんがえられるが、こうしたものでは、別の編糸を用意しなくてはならず、高価になるだけでなく切り換えのために生産性も低下してしまうという問題もあった。
本発明は上記問題点に鑑みて提案されたもので、着心地のよいあるいは体形を補正可能で、必要に応じて通気性や吸湿性を図ることができる筒状編地及びその編成方法を簡単で安価に提供できるようにすることを目的とするものである。
【課題を解決するための手段】
【０００６】
本発明の筒状編地の編成方法は、編針を進退摺動可能に収納したニードルベッドを少なくとも前後一対に設けた横編機の前後のニードルベッドにわたって周回状に給糸することにより、筒状の編地を形成する筒状編地の編成方法において、周回編成の同一コースに引き返し編を編針の二目飛ばしに給糸することにより前後のニードルベッドで編成される編地に厚みを異ならせ、若しくは縦横の伸び比率を異ならせるようにしたことを特徴とするものである。
【０００７】
また、本発明の筒状編地では、編針を進退摺動可能に収納したニードルベッドを少なくとも前後一対に設けた横編機の前後のニードルベッドにわたって周回状に給糸して筒状に編成された筒状編地であって、周回編成の同一コースに引き返し編により二目飛ばしに給糸されて編成されることによりすることにより前後のニードルベッドで編成される編地に厚みをことならせ、若しくは縦横の伸び比率を異ならせたことを特徴とするものである。
【０００８】
本発明の筒状編地では、筒状編地がニットパンツであったり、ニットパンツの筒状脚部の接合部分を総編針で編み出しによる強固な股部を有するようにしたことも特徴とするものである。
【発明の効果】
【０００９】
本発明によれば、編針を進退摺動可能に収納したニードルベッドを少なくとも前後一対に設けた横編機の前後のニードルベッドにわたって周回状に給糸し、周回編成の同一コースに引き返し編を編針の二目飛ばしに給糸することにより前後のニードルベッドで編成される編地に厚みを異ならせ、若しくは縦横の伸び比率を異ならせるようにしてあるので、例えば本発明をニットパンツに実施した場合、腰部分の厚みを厚くして保温性をもたせるとともに横伸びを制限して体形の補正用下着として最適なものにすることができる利点がある。
【００１０】
また、厚みをことならせ、若しくは縦横の伸び比率を異ならせるのに、同一の編糸でおこなえるので、従来のように別の編糸を用意しなくても済み、その分安価にできるとともに、編糸を切り替える手間もなくして、生産性を向上させることができると言う利点もある。
【発明を実施するための最良の形態】
【００１１】
以下、本発明を実施するための最良の形態を図面に基づいて説明する
図１は無縫製のニットパンツの全面形状を示す正面図、図２は後身ごろ部分を示すニットパンツの背面図であって、図中符号１はニットパンツを全体的に示す。
このニットパンツ１は、筒状に周回編成された大径の胴部２と、その下部の二股に分かれた筒状脚部３が一連に編成され、筒状脚部３の開口部分にはそれぞれリブ編部分４が形成されている。
ニットパンツ１の股部５を強固にするため筒状脚部３に形成された開口部のリブ編部分から編み始め、胴部２の上端の穿き口１０側が編み終わりとなり、二股の筒状脚部３、３間にゆとりをもたせるのと、股当ての役割を果たす襠部を形成するために数目あけてあり、その部分で前身ごろ６と後みごろ７を結合する股部５が形成される。
【００１２】
この実施の形態では、図１に示すように前身ごろ６には股部５に股当てとなる台形の厚地部分８と、腹を覆う部分には大きな台形の厚地部分９を編成し、後身ごろ７には腹部から穿き口部１０に向けて臀部を覆うように大きな台形の厚地部分１１を編成して密着感と保温性を高め、且つ股当てを有するので下穿きパンツとしても最適なものとなっている。
【００１３】
次に、上記無縫製のニットパンツ１の編成工程を図３以下に基づいて説明する。
この編成工程で使用する編み機は、編針を進退摺動可能に収納したニードルベッドを前後一対に設けた周知構造の横編機（詳細は図示せず）の前後のニードルベッドにわたって編糸を周回状に給糸して筒状に編成したものである。
図中左端の英文字Ｆは前身ごろ６部分を編成する前方のニードルベッドを示し、英文字Ｂは後身ごろ部分７を編成する後方のニードルベッドを示し、各ニードルベッドの上または下に付した英文字は編針をそれぞれ示す。
図中前方のニードルベッドの左側上部に付された矢印は、キャリッジの進行方向、即ち、編糸の給糸方向を示す。
また、図３以降では本発明の原理的なものを示し、編目数や編成コース数は図示されたものに限定されるものではない。
【００１４】
図３は、編み始めとなる筒状脚部３，３の開口部分のリブ編部分４を示し、キャリッジの右方への摺動にともなって図外のヤーンフィーダから前方のニードルベッドの編針と後方のニードルベッドの編針とにわたって中三本針抜きした状態でジグザグに給糸することにより、前側部分のリブ編が形成される。
図４のキャリッジの左方への摺動により、ヤーンフィーダから前方のニードルベッドの編針と後方のニードルベッドの編針とにわたって中三本針抜きした状態でジグザグに給糸することにより、後側部分のリブ編が形成される。
こうした図３及び図４が交互に所定回数（コース）繰り返されることにより、筒状脚部３，３の開口部分のリブ編部分４が編成される。
【００１５】
筒状脚部３，３の開口部のリブ編部分４が編成されると、図５に示すように前側のリブ編部分を編成するために、後方のニードルベッドの編針に掛止しているループを前方のニードルベッドに移し、図６に示すように後側のリブ編部分４を編成するために、前方のニードルベッドの編針に掛止しているループを後方のニードルベッドに移して各ニードルベッドを針抜きの状態にする。
そして、上記図５及び図６が交互に所定コース繰り返されて一方の筒状脚部３が平編で形成される。
また、他方の筒状脚部３も上記図３乃至図６で示すのと同様にして編成される。
【００１６】
股下の両筒状脚部３，３が編成されると両編地間に図７乃至図９に示す編成コースで股部が形成される。
図７では両筒状部間を数目空け、当該空けられた部分でニットパンツの前側編地を編成する時、後方のニードルベッドを右方に半ピッチラッキングさせた状態にし、当該部分の前後の編針に亙ってジグザグに給糸してタックさせた状態にする。
図８ではキャリッジの左方への摺動で後方のニードルベッドの編針に給糸して編目を形成し、図９でキャリッジの右方への摺動で前方のニードルベッドの編針に給糸して編目する。
【００１７】
こうして前後の編針に編目が形成された後、図１０で図８における股部５の後側の編目を一つおきに前方のニードルベッドの編針に移して前方のニードルベッドの編針に編目を形成し、図１１で図９における股部分の前側の編目を一つおきに後方のニードルベッドの編針に移して後方のニードルベッドの編針に編目を形成する。
この図１０、図１１により股部５の編み出し部分が交差し補強された状態で、股下部分の左右の筒状脚部３，３が連結された状態になり、前方のニードルベッドと後方のニードルベッドの各編針に編糸が周回状に給糸されると、股下の２つの筒状脚部３，３が合一された状態で胴部２の編地が編成される。
【００１８】
上記胴部２の周回編成の時、図１２以降で引き返し編による厚さ及び伸び率の異なる編地が編成される。
即ち、図１２でキャリッジが左方の例えば前方のニードルベッドの編針Ｇの位置まで摺動する時に胴部２の前身ごろ部分で前方のニードルベッドの編針（例えばＱ、Ｏ、Ｋ、Ｉ）に掛止されている編目の２目を飛ばした状態で給糸されて編針Ｓ、Ｍ、Ｇに編目が形成される。
次に、前方のニードルベッドの編針Ｇの位置から図１３で示すように前方のニードルベッドの編針Ｓの位置に引き返す時に、前方のニードルベッドの編針Ｋ、Ｍの２目と編針Ｑを飛ばした状態で給糸され前方のニードルベッドの編針Ｇ、Ｉ、Ｏ、Ｓに編目が形成される。
【００１９】
また、図１４で示すようにキャリッジが左方、前方のニードルベッドの編針Ｓの位置から編針Ａに摺動する時、前方のニードルベッドの編針Ｏ、Ｍの２目と編針Ｉを飛ばした状態で給糸され、前方のニードルベッドの編針Ｓ、Ｑ、Ｋ、Ｇ、Ｅ、Ｃ、Ａに編目が形成される。
そして、後方のニードルベッドで編成される後身ごろの編地に対しては、図１５に示すように編針Ｂから編針Ｔへキャリッジが摺動する時に、編針Ｈから編針Ｎ、編針Ｎから編針Ｔと、２目あけた状態で給糸して編目を形成するとともに、キャリッジが編針Ｔから編針Ｈに引き返される左方への摺動時、図１６に示すように、後方のニードルベッドの編針Ｐ、Ｎの２目と編針Ｊを飛ばした状態で給糸され、後方のニードルベッドの編針Ｔ、Ｒ、Ｌ、Ｈに編目が形成される。
さらに、キャリッジが編針Ｈから編針Ｚに引き返される右方への摺動時に、図１７に示すように、編針Ｌ、Ｎの２目と、編針Ｒとを飛ばした状態で後方のニードルベッドの編針Ｈ、Ｊ、Ｐ、Ｔ、Ｖ、Ｘ、Ｚに編目が形成される。
【００２０】
然る後、図示は省略したが前後のニードルベッドに亙って周回状に給糸されて平編部分とリブ編部分１３とが編成された後、穿き口部分１０が形成され、その編目が伏せ目処理されると、無縫製ニットパンツ１の編成が終了する。
斯くして編成された無縫製ニットパンツは、周回編成される同一コース上で２目飛ばしの引き返し編をする時と更に折り返された編成時に飛ばす編針を異ならせてあるので、引き返し編部分は実質的に２コース増えたことになる。
【００２１】
この増えた編糸は渡り糸の状態で編地に綾状に固定されており、表面には大きな変化はないが、裏面（中側）には上記渡り糸の状態で編地に固定された編糸により編地の厚みが厚くなっている。したがって、こうした厚みの厚く、保温性やクッションせいがいい部分を臀部や下腹部に形成すると、着心地のよいニットパンツとなる。
また、２目飛ばして編成された部分は、その糸長が短いことから、横方向の伸びが小さく、締付け（密着）感が強く、体形を整えるためのソフトガードルに最適なものにすることができる。
【００２２】
尚、前記実施の形態ではニットパンツを例に説明してあるがこうしたものに限られず、靴下やその他の筒状編地にも本発明を実施することができるのは言うまでもないことである。
【図面の簡単な説明】
【００２３】
【図１】本発明にかかる筒状編地の一例であるニットパンツの正面図である。
【図２】本発明にかかる筒状編地の一例であるニットパンツの背面図である。
【図３】本発明にかかる筒状編地の一例であるニットパンツの編み出し部分の編成図である。
【図４】本発明にかかる筒状編地の一例であるニットパンツの編み出し部分の編成図である。
【図５】本発明にかかる筒状編地の一例であるニットパンツに係る筒状の脚部の編成図である。
【図６】本発明にかかる筒状編地の一例であるニットパンツに係る筒状の脚部の編成図である。
【図７】本発明にかかる筒状編地の一例であるニットパンツに係る股部分の編み出しを示す編成図である。
【図８】本発明にかかる筒状編地の一例であるニットパンツの股部分の編成図である。
【図９】本発明にかかる筒状編地の一例であるニットパンツの股部分の編成図である。
【図１０】本発明にかかる筒状編地の一例であるニットパンツの胴部分の編成図である。
【図１１】本発明にかかる筒状編地の一例であるニットパンツの胴部分の編成図である。
【図１２】本発明にかかる筒状編地の一例であるニットパンツに係る胴部分の引き返し編部分の編成図である。
【図１３】本発明にかかる筒状編地の一例であるニットパンツに係る胴部分の引き返し編部分の編成図である。
【図１４】本発明にかかる筒状編地の一例であるニットパンツに係る胴部分の引き返し編部分の編成図である。
【図１５】本発明にかかる筒状編地の一例であるニットパンツに係る胴部分の引き返し編部分の編成図である。
【図１６】本発明にかかる筒状編地の一例であるニットパンツに係る胴部分の引き返し編部分の編成図である。
【図１７】本発明にかかる筒状編地の一例であるニットパンツに係る胴部分の引き返し編部分の編成図である。
【符号の説明】
【００２４】
１・・・筒状編地（ニットパンツ）
３・・・筒状脚部
５・・・股部
【図１】
2005325469.tif 000003
【図２】
2005325469.tif 000004
【図３】
2005325469.tif 000005
【図４】
2005325469.tif 000006
【図５】
2005325469.tif 000007
【図６】
2005325469.tif 000008
【図７】
2005325469.tif 000009
【図８】
2005325469.tif 000010
【図９】
2005325469.tif 000011
【図１０】
2005325469.tif 000012
【図１１】
2005325469.tif 000013
【図１２】
2005325469.tif 000014
【図１３】
2005325469.tif 000015
【図１４】
2005325469.tif 000016
【図１５】
2005325469.tif 000017
【図１６】
2005325469.tif 000018
【図１７】
2005325469.tif 000019